(57)【要約】【課題】悪臭を発生する生ごみや漬け物などの臭いの強い物品を収納場所の臭気を脱臭し快適な住空間を提供すること。【解決手段】送風装置１６と、吸気切替手段１５と、人体検知手段１１とを電気的に接続した制御手段１７で制御する脱臭装置７において、人体検知手段１１が人間の在室か不在を検知し、在室のときに運転する在室運転モードと不在のときに運転する不在運転モードの２つの運転モードを切り替えることにより、効率的な脱臭が可能で、脱臭媒体は長期間に亘り脱臭機能を維持することができる。【選択図】図１
2006081725.tif 000002
【特許請求の範囲】
【請求項１】
臭気吸気口と、脱臭媒体と、送風装置と、排気口と、制御手段と、人体検知手段とを備え、臭気吸気口を送風装置の吸気側に配置し、臭気吸気口から排気口へ至る経路の途中に脱臭媒体を設置し、送風装置により臭気吸気口から排気口に至る空気流を形成してなる風路を備え、送風装置及び人体検知手段と電気的に接続した制御手段で制御する脱臭装置において、人体検知手段が人間の在室か不在を検知し、在室のときに運転する在室運転モードと不在のときに運転する不在運転モードの２つの運転モードを切り替えることを特徴とする脱臭装置の制御方法。
【請求項２】
臭気吸気口と、外気吸気口と、吸気切替手段と、脱臭媒体と、送風装置と、排気口と、制御手段と、人体検知手段とを備え、臭気吸気口と外気吸気口は吸気切替手段の上流側に配置し、吸気切替手段から排気口へ至る経路の途中に脱臭媒体を設置し、送風装置により臭気吸気口もしくは外気吸気口から排気口に至る空気流を形成してなる風路を備え、送風装置及び吸気切替手段及び人体検知手段と電気的に接続した制御手段で制御する脱臭装置において、人体検知手段が人間の在室か不在を検知し、在室のときに運転する在室運転モードと不在のときに運転する不在運転モードの２つの運転モードを切り替えることを特徴とする脱臭装置の制御方法。
【請求項３】
前記在室運転モードは送風装置を間欠的に運転させ、前記不在運転モードは送風装置の運転時間及び停止時間を在室運転モードより長く設定して送風装置を間欠的に運転させる構成の請求項１または２記載の脱臭装置の制御方法。
【請求項４】
前記送風装置は送風能力の切替機能を備え、前記在室運転モード及び前記不在運転モード中の送風装置は低能力で運転し、不在運転モードから在室運転モードに切り替わるときのみ送風装置を一時的に高能力で運転する構成とした請求項１〜３のいずれか１項に記載の脱臭装置の制御方法。
【請求項５】
前記在室運転モード及び前記不在運転モードの少なくとも一方の運転モード中に吸気切替手段を外気吸気口側に切り替えて送風装置を作動させるリフレッシュ運転処理を設けた請求項２〜４のいずれか１項に記載の脱臭装置の制御方法。
【請求項６】
前記リフレッシュ運転処理時間と在室運転モードまたは不在運転モードの送風装置の運転時間との比率を自由に設定可能な請求項５記載の脱臭装置の制御方法。
【請求項７】
前記リフレッシュ運転処理時間は在室運転モードまたは不在運転モードの送風装置の運転時間の等倍以上とする請求項５記載の脱臭装置の制御方法。
【発明の詳細な説明】
【技術分野】
【０００１】
本発明はキッチン等で使用する収納装置に設置して、悪臭を脱臭する脱臭装置の制御方法に関するものである。
【背景技術】
【０００２】
従来、この種の脱臭装置は、収納物から発生する臭気を送風機で吸引し戸外に排出している（例えば、特開文献１参照）。
【０００３】
図１０は、特開文献１に記載された従来の脱臭装置を示すものである。図１０に示すように、キャビネット１の内の引き出し台２上に載置されたごみ収納容器３と、戸外に連通するダクト４に接続した排気ファン５から構成されている。
【特許文献１】特開２０００−２１０１４２号公報
【発明の開示】
【発明が解決しようとする課題】
【０００４】
しかしながら、前記従来の構成では、臭気は排気ファンとダクトで戸外に排出する構成なので、必ず戸外に連通するダクトを設置する必要があり、設置場所が制限されるという課題を有していた。
【０００５】
本発明は、前記従来の課題を解決するもので、設置場所の制約を受けずに、悪臭を発生する生ごみ等の収納場所を効果的に脱臭し、快適な住空間を実現する使い勝手の良い脱臭装置を提供することを目的とする。
【課題を解決するための手段】
【０００６】
前記従来の課題を解決するために、本発明の脱臭装置は、臭気吸気口と、脱臭媒体と、送風装置と、排気口と、制御手段と、人体検知手段とを備え、臭気吸気口を送風装置の吸気側に配置し、臭気吸気口から排気口へ至る経路の途中に脱臭媒体を設置し、送風装置により臭気吸気口から排気口に至る空気流を形成してなる風路を備え、送風装置及び人体検知手段と電気的に接続した制御手段で制御する脱臭装置において、人体検知手段が人間の在室か不在を検知し、在室のときに運転する在室運転モードと不在のときに運転する不在運転モードの２つの運転モードを切り替えることを特徴とする脱臭装置の制御方法としたものである。
【０００７】
これによって、臭気を含んだ空気を臭気吸気口より吸い込み、送風装置へ吸引された後、排気経路の脱臭媒体を通過して脱臭された空気が排気口より室内に放出され、快適な住空間が提供できる。
【発明の効果】
【０００８】
以上のように、請求項１から７のいずれか一項記載の発明によれば、人間の検知の有無により脱臭運転と送風装置停止の時間を任意に設定することで、効率的な脱臭が可能で、電気代の節約にもなり、脱臭媒体は脱臭作用に使用される毎に必ず活性化されるため、脱臭媒体は長期間に亘り脱臭機能を維持することができる。
【発明を実施するための最良の形態】
【０００９】
第１の発明は臭気吸気口と、脱臭媒体と、送風装置と、排気口と、制御手段と、人体検知手段とを備え、臭気吸気口を送風装置の吸気側に配置し、臭気吸気口から排気口へ至る経路の途中に脱臭媒体を設置し、送風装置により臭気吸気口から排気口に至る空気流を形成してなる風路を備え、送風装置及び人体検知手段と電気的に接続した制御手段で制御する脱臭装置において、人体検知手段が人間の在室か不在を検知し、在室のときに運転する在室運転モードと不在のときに運転する不在運転モードの２つの運転モードを切り替える構成とすることにより、臭気を含んだ空気を臭気吸気口より吸い込み、送風装置へ吸引された後、排気経路の脱臭媒体を通過して脱臭された空気が排気口より室内に放出される。また、制御手段に電気接続した人体検知手段が人間の在室か不在を検知し、在室のときは在室運転モード、不在のときは不在運転モードをそれぞれ決められた運転時間にて運転することになり、設置場所の制約を受けずに、悪臭を発生する生ごみや漬け物などの強い臭気を脱臭し、室内に排出することで快適な住空間を提供することが可能となり、また人間の検知の有無により効率的な脱臭が可能となる。
【００１０】
第２の発明は臭気吸気口と、外気吸気口と、吸気切替手段と、脱臭媒体と、送風装置と、排気口と、制御手段と、人体検知手段とを備え、臭気吸気口と外気吸気口は吸気切替手段の上流側に配置し、吸気切替手段から排気口へ至る経路の途中に脱臭媒体を設置し、送風装置により臭気吸気口もしくは外気吸気口から排気口に至る空気流を形成してなる風路を備え、送風装置及び吸気切替手段及び人体検知手段と電気的に接続した制御手段で制御する脱臭装置において、人体検知手段が人間の在室か不在を検知し、在室のときに運転する在室運転モードと不在のときに運転する不在運転モードの２つの運転モードを切り替える構成とすることにより、臭気を含んだ空気を臭気吸気口より吸い込み、吸気切替手段を通過して送風装置へ吸引された後、排気経路の脱臭媒体を通過して脱臭された空気が排気口より室内に放出される。また、制御手段に電気接続した人体検知手段が人間の在室か不在を検知し、在室のときは在室運転モード、不在のときは不在運転モードをそれぞれ決められた運転時間にて運転することになり、設置場所の制約を受けずに、悪臭を発生する生ごみや漬け物などの強い臭気を脱臭し、室内に排出することで快適な住空間を提供することが可能となり、また人間の検知の有無により効率的な脱臭が可能となる。
【００１１】
第３の発明は、特に第１または第２の発明の前記在室運転モードは送風装置を間欠的に運転させ、前記不在運転モードは送風装置の運転時間及び停止時間を在室運転モードより長く設定して送風装置を間欠的に運転させる構成とすることにより、在室運転モードでは臭気を含んだ空気を臭気吸気口より吸い込み、送風装置へ吸引された後、排気経路の脱臭媒体を通過して脱臭された空気が排気口より室内に放出される脱臭運転と送風装置を停止する送風装置停止を間欠に繰り返し運転する。また、不在運転モードでは在室運転モードの送風装置の運転時間及び停止時間より長く設定して間欠に繰り返し運転することになり、人間の検知の有無により脱臭運転と送風装置停止の時間を任意に設定することで、効率的な脱臭が可能で、電気代の節約にもなる。
【００１２】
第４の発明は、特に第１〜３のいずれか１つの発明の送風装置は送風能力の切替機能を備え、前記在室運転モード及び前記不在運転モード中の送風装置は低能力で運転し、不在運転モードから在室運転モードに切り替わるときのみ送風装置を一時的に高能力で運転する構成とすることにより、通常の在室運転モード中の脱臭運転及び不在運転モード中の脱臭運転の送風装置は低能力で運転し、人がいない不在運転モードから人検知をし、在室運転モードに切り替わるときのみ送風装置を一時的に高能力で運転することになり、人が脱臭装置の前に立ったとき、ごみ箱に溜まった臭気を感じないで作業ができる。
【００１３】
第５の発明は、特に第２〜４のいずれか１つの発明の前記在室運転モード及び前記不在運転モードの少なくとも一方の運転モード中に吸気切替手段を外気吸気口側に切り替えて送風装置を作動させるリフレッシュ運転処理を設けることにより、一定時間脱臭運転した後、制御装置により吸気切替手段が外気吸気口側に切り替わり、外気吸気口より新鮮な外気が吸引され、脱臭媒体に新鮮な外気が送風されることにより脱臭媒体は活性化されることになり、脱臭媒体は脱臭作用に使用される毎に必ず活性化されるため、脱臭媒体は長時間に亘り脱臭機能を維持することができる。
【００１４】
第６の発明は、特に第５の発明の前記リフレッシュ運転処理時間と在室運転モードまたは不在運転モードの送風装置の運転時間との比率を自由に設定可能とすることにより、リフレッシュ運転処理時間と不在運転モードでは在室運転モードの送風装置の運転時間との比率を任意設定することで、更に脱臭媒体は活性化されることになり、脱臭媒体は長時間に亘り脱臭機能を維持することで効率的な脱臭が可能となる。
【００１５】
第７の発明は、特に第５の発明の前記リフレッシュ運転処理時間は在室運転モードまたは不在運転モードの送風装置の運転時間の等倍以上とすることにより、リフレッシュ運転処理時間を不在運転モードでは在室運転モードの送風装置の運転時間の等倍以上に設定することで、更に脱臭媒体は活性化されることになり、脱臭媒体は長時間に亘り脱臭機能を維持することで効率的な脱臭が可能となる。
【００１６】
以下、本発明の実施の形態について、図面を参照しながら説明する。なお、この実施の形態によって本発明が限定されるものではない。
【００１７】
（実施の形態１）
図１は本発明の第１の実施の形態における脱臭装置の設置状態の正面図を示すものである。
【００１８】
図１においてシステムキッチン６においてキャビネット６ａを配列しない開放部分において、カウンター６ｂの下面に本発明の脱臭装置７を設置し、その下方には２個のごみ箱８を配置している。
【００１９】
脱臭装置７の前面には外気吸気口９と排気口１０と人体検知手段１１と運転スイッチ１２を配設し、外気吸気口９と排気口１０は前方に向かって開放している。
【００２０】
図２は本実施の形態における脱臭装置の縦断面図を示すものであり、脱臭装置７の下面には臭気吸気口１３を配設し、下方に設置したごみ箱８に向かって開放している。
【００２１】
図３は本実施の形態における脱臭装置の内部の構成を示す横断面図であり、図４は本実施の形態における脱臭装置の構成要素の空気連通と電気的な接続を示すブロック図である。図において、外気吸気口９に連通する外気ダクト９ａと臭気吸気口１３に連通する臭気ダクト１３ａはステッピングモータ１５ａとモータの軸に設置したダンパー１５ｂからなる吸気切替手段１５の吸気接続口１５ｃと１５ｄに接続し、吸気切替手段１５の排気接続口１５ｅに接続した排気ダクト１０ａの他端はファンとモータからなる送風装置１６の送風吸気口１６ａに接続し、送風装置１６の送風排気口１６ｂには排気口１０と連通し、前記排気口１０と吸気切替手段１５の排気接続口１５ｅの経路途中には脱臭媒体１４が配設されている。
【００２２】
運転スイッチ１２と人体検知手段１１は制御手段１７の入力部に電気的に接続し、制御手段１７の出力部に電気的に接続した吸気切替手段１５と送風装置１６を制御できる構成となっている。
【００２３】
以上のように構成された脱臭装置について、以下その動作、作用を説明する。
【００２４】
まず、通常の運転モードにおいては、運転スイッチ１２を「入」にすると、制御手段１７により吸気切替手段１５は臭気ダクト１３ａに接続する位置（ア）に設定され、送風装置１６が運転を開始し、ごみ箱８から発生する臭気を含んだ空気の吸引を開始する。
【００２５】
臭気吸気口１３から吸引された臭気を含んだ空気は、臭気ダクト１３ａ、吸気切替手段１５、排気ダクト１０ａ、送風装置１６を通過して排気経路の途中に設置した脱臭媒体２０を通過することにより臭気を除去し、臭気を除去した無臭の空気を排気口１０より室内に放出する（脱臭運転）。
【００２６】
上記の運転を一定時間した後、制御手段１７により吸気切替手段１５を外気ダクト９ａに接続する位置（イ）に切り替え、臭気を含まない新鮮な外気を吸引し脱臭媒体２０に供給することにより脱臭媒体１４の活性化を行い、一定時間運転をした後送風装置は停止する（リフレッシュ運転）。
【００２７】
一定時間送風装置１６の運転を停止した（送風装置停止）後、再び脱臭運転、リフレッシュ運転、送風装置停止の順に繰り返し、一定間隔で間欠運転を継続する。
【００２８】
一方、脱臭装置７の前に位置した人体から発生する赤外線を検知する人体検知手段１１において、人体検知手段１１からの信号がある場合は制御手段１７に搭載した在室運転モードを、また信号がない場合は不在運転モードをそれぞれ設定した時間にて脱臭運転、リフレッシュ運転、送風装置停止の運転を繰り返し行なう。また、運転開始時及び不在モードから在室モードへの移行時、送風装置１６の運転は上記の間欠運転を行う場合より高能力で運転する。
【００２９】
本実施の形態において図６及び図７及び図８の脱臭装置の制御の流れを示すフローチャートに従い、詳細な制御動作を説明する。
【００３０】
図６において、ステップ（以下ＳＴと表示する）１で各フラグ及びタイマーの初期設定を行ない、ＳＴ２で使用者が運転スイッチをＯＮしたかの判定を行ない、運転スイッチＯＮの場合は在室運転モードに移行し、運転スイッチがＯＮしていない場合は、ＳＴ３で吸気切替手段にて（イ）の位置に移動し、ＳＴ４で送風装置に停止信号を出力した後、ＳＴ２の先頭に戻る。
【００３１】
図７において、在室運転モードスタート後、ＳＴ５でＮ＝０及びＦ＝０とし、ＳＴ６でＮの値が０か否かの判定を行ない、Ｎ＝０の場合つまり、運転スイッチを入れた直後及び不在モードからの移行直後は、ＳＴ７で吸気切替手段にて（ア）の位置に移動し、ＳＴ８で送風装置を高速運転する信号を出力した後、ＳＴ９にて３分経過するかの判定を行なう。ＳＴ９では３分経過するまではＳＴ７の先頭に戻り、ＳＴ６でＮ＝０でない場合かＳＴ９で３分経過した場合はＳＴ１０に移行する。
【００３２】
ＳＴ１０〜ＳＴ１２は在室運転モード中の脱臭運転処理を示し、ＳＴ１０で吸気切替手段にて（ア）の位置に移動し、ＳＴ８で送風装置を低速運転する信号を出力した後、ＳＴ１２にて２分経過するかの判定を行なう。ＳＴ１２では２分経過するまではＳＴ１０の先頭に戻り、２分経過した場合はＳＴ１３に移行する。
【００３３】
ＳＴ１３〜ＳＴ１５は在室運転モード中のリフレッシュ運転処理を示し、ＳＴ１３で吸気切替手段にて（イ）の位置に移動し、ＳＴ１４で送風装置を低速運転する信号を出力した後、ＳＴ１５にて１６分経過するかの判定を行なう。ＳＴ１５では１６分経過するまではＳＴ１３の先頭に戻り、１６分経過した場合はＳＴ１６に移行する。
【００３４】
ＳＴ１６〜ＳＴ２０は在室運転モード中の送風装置停止処理を示し、ＳＴ１６で吸気切替手段にて（イ）の位置に移動し、ＳＴ１７で送風装置に停止信号を出力した後、ＳＴ１８で人体検知手段が人を検知した信号を出しているか否かの判定を行ない、人の検知有りの場合はＳＴ１９でＦに１を入れた後、ＳＴ２０にて１２分経過するかの判定を行なう。ＳＴ１２では１２分経過するまではＳＴ１６の先頭に戻り、１２分経過した場合はＳＴ２１に移行する。
【００３５】
ＳＴ２１で在室運転モード中の送風装置停止処理の中で人体検知手段が人を検知したか否かの判定を行ないＦ＝０つまり人検知がない場合は不在運転モードに移行し、Ｆ＝０でない場合つまり人の検知がある場合はＳＴ２２でＮの値の中にＮの前値に１を足した値を入れた後、ＳＴ６の先頭に戻る。
【００３６】
図８において、不在運転モードスタート後、ＳＴ２３〜ＳＴ２６は不在運転モード中の脱臭運転処理を示し、ＳＴ２３で吸気切替手段にて（ア）の位置に移動し、ＳＴ２４で送風装置を低速運転する信号を出力した後、ＳＴ２５で人体検知手段が人を検知した場合は即、在室運転モードへ移行し、人の検知がない場合のみＳＴ２６で４分経過するかの判定を行なう。ＳＴ２６の時間設定４分は在室運転モードの運転時間２分より長く設定し、ＳＴ２６では４分経過するまではＳＴ２３の先頭に戻り、４分経過した場合はＳＴ２７に移行する。
【００３７】
ＳＴ２７〜ＳＴ３０は不在運転モード中のリフレッシュ運転処理を示し、ＳＴ２７で吸気切替手段にて（イ）の位置に移動し、ＳＴ２８で送風装置を低速運転する信号を出力した後、ＳＴ２９で人体検知手段が人を検知した場合は即、在室運転モードへ移行し、人の検知がない場合のみＳＴ３０で２０分経過するかの判定を行なう。ＳＴ３０の時間設定２０分は在室運転モードの運転時間１６分より長く設定し、ＳＴ３０では２０分経過するまではＳＴ２７の先頭に戻り、２０分経過した場合はＳＴ３１に移行する。
【００３８】
ＳＴ３１〜ＳＴ３４は不在運転モード中の送風装置停止処理を示し、ＳＴ３１で吸気切替手段にて（イ）の位置に移動し、ＳＴ３２で送風装置に停止信号を出力した後、ＳＴ３３で人体検知手段が人を検知した場合は即、在室運転モードへ移行し、人の検知がない場合のみＳＴ３４で３６分経過するかの判定を行なう。ＳＴ３４の時間設定３６分は在室運転モードの運転時間１２分より長く設定し、ＳＴ３０では３６分経過するまではＳＴ３１の先頭に戻り、３６分経過した場合はＳＴ２３の先頭に戻る。
【００３９】
図９は本実施の形態における脱臭装置の人体検知手段の出力電圧特性を示すグラフであり、（ａ）はアナログ電圧出力タイプで（ｂ）はデジタル電圧出力タイプである。
【００４０】
（ａ）については、人体検知手段からの検知距離により出力電圧がリニアに変化し、制御手段にて検知距離を決めておき、その検知距離に値する電圧値より高いか低いかで人体の有り及び無しを判定する。（ｂ）については人体検知手段からの検知距離が０〜５０ｍｍのときは電圧レベルＨｉを５０ｍｍ以上のときは電圧レベルＬｏを出力し、人体の有り及び無しを判定する。（ａ）は検知距離にて電圧が異なるため、脱臭装置の前に物が置かれた場合等の誤検知防止にも用いることが可能であり、本実施の形態においては（ａ）または（ｂ）のいずれかを用いて人体の検知判定を行なう。
【００４１】
以上のように、本実施の形態においては運転モードを人体検知手段の出力信号により、在室モードと不在モードに分け、各モードの運転時間をそれぞれ設定することにより、通常の設置状態では臭気が室内へ拡散することを継続的に防止することができ、しかも、時間の長い通常の設置状態では間欠運転を行うため、電気代の削減ができ、また送風装置の耐久性も延ばすことができる。
【００４２】
また、不在運転モードから在室運転モードへの移行直後は送風装置の運転を通常運転処理の回転速度より高能力で運転することで、人が脱臭装置の前に立ったとき、ごみ箱に溜まった臭気を感じないで作業ができる。
【００４３】
また、臭気触媒の活性化を自動的に実施しているため長時間に亘り臭気触媒の能力を維持することができ、またそのための手間も省ける。
【００４４】
また、本発明の脱臭装置は屋外に排気を行うダクトが不要のため、設置場所の制約を受けることがなく、室内の何処にでも設置可能なものである。
【００４５】
なお、本実施の形態においては、脱臭媒体を活性化する外気吸気による運転を通常運転モードにおける毎回の間欠運転時に実施しているが、脱臭触媒の性能や使用時間、また臭気の度合等にあわせて回数を変化させたり、または、通常運転モードでは実施せずに一定の運転時間が経過した後に専用の運転モードで実施することでも、同様な効果を発揮することができる。
【００４６】
なお、本実施の形態においては、図４のように吸気切替手段１５にて吸気部を外気吸気口９と臭気吸気口１３とを切り替えて実施しているが、図５のように吸気切替手段１５を廃止し、臭気吸気口１３を直接脱臭媒体１４を介して送風装置１６と連通させて実施することもでき、同様な効果を発揮することができる。
【００４７】
なお、本実施の形態においては脱臭の対象物をごみとしたがこれに限るものではなく、漬け物や履き物などの強い臭気を発するものに対しても、効果的に使用することができるものである。
【産業上の利用可能性】
【００４８】
以上のように、本発明にかかる脱臭装置は、脱臭媒体は脱臭作用に使用される毎に必ず活性化されるため、脱臭媒体は長期間に亘り脱臭機能を維持することが可能となるので、家庭用に限らず、医療用、産業用の脱臭装置などの用途にも適用できる。
【図面の簡単な説明】
【００４９】
【図１】本発明の実施の形態１における脱臭装置の設置状態の正面図
【図２】本発明の実施の形態１における脱臭装置の縦断面図
【図３】本発明の実施の形態１における脱臭装置の横断面図
【図４】本発明の実施の形態１における脱臭装置の構成要素の空気連通と電気的な接続を示すブロック図
【図５】本発明の実施の形態１における別の脱臭装置における構成要素の空気連通と電気的な接続を示すブロック図
【図６】本発明の実施の形態１における脱臭装置の運転開始動作フローチャート
【図７】本発明の実施の形態１における脱臭装置の在室モード運転動作フローチャート
【図８】本発明の実施の形態１における脱臭装置の不在モード運転動作フローチャート
【図９】（ａ）本発明の実施の形態１における脱臭装置の人体検知手段のアナログタイプの出力電圧特性を示すグラフ（ｂ）同デジタルタイプの出力電圧特性を示すグラフ
【図１０】従来の脱臭装置の断面図
【符号の説明】
【００５０】
７  脱臭装置
９  外気吸気口
１０  排気口
１１  人体検知手段
１３  臭気吸気口
１４  脱臭媒体
１５  吸気切替手段
１６  送風装置
１７  制御手段
【図１】
2006081725.tif 000003
【図２】
2006081725.tif 000004
【図３】
2006081725.tif 000005
【図４】
2006081725.tif 000006
【図５】
2006081725.tif 000007
【図６】
2006081725.tif 000008
【図７】
2006081725.tif 000009
【図８】
2006081725.tif 000010
【図９】
2006081725.tif 000011
【図１０】
2006081725.tif 000012